(57)【要約】【課題】アッテネーターの事前設定にかかる負担を軽減する通信の技術を提供すること。【解決手段】受信機１では、初回設置時やユーザの命令操作時などに、発振器２７が発生する高周波信号を判定用信号として、コネクタ２０と同軸ケーブル３でアンテナ１へ送出する。アンテナ１では、このようにケーブル３経由で受信する判定用信号の強度レベルに基いてケーブル３におけるケーブルロスを判定し、このケーブルロスに応じて、前記変更手段（増幅器１２、ＡＴＴ１３）を制御することにより、アンテナ利得を制御する（制御処理）。【選択図】図１
2008061141.tif 000002
【特許請求の範囲】
【請求項１】
アンテナと受信機とをケーブルで接続した受信システムにおいて、
前記受信機は、前記ケーブルで前記アンテナへ送出する高周波信号を発生する発振器を備え、
前記アンテナは、
アンテナ利得を変更する変更手段と、
前記ケーブル経由で受信する前記高周波信号の強度レベルに基いて前記ケーブルにおけるケーブルロスを検出する検出手段と、
前記検出手段で検出した前記ケーブルロスに応じて前記変更手段を制御することにより前記アンテナ利得を制御する制御手段と、
を有する
ことを特徴とする受信システム。
【請求項２】
前記受信機は、前記発振器で発生する前記高周波信号の内容を可変する信号制御手段を有する
ことを特徴とする請求項１記載の受信システム。
【請求項３】
前記アンテナは、
アンテナ利得を変更することにより受信範囲の広狭を変更するための第２の変更手段と、
前記ケーブル経由で受信する前記高周波信号の内容に応じて、前記第２の変更手段を制御してアンテナ利得を変更することにより、前記受信範囲の広狭を制御する範囲制御手段と、
を有することを特徴とする請求項１又は２記載の受信システム。
【請求項４】
信号の検出手段とアンテナ利得の変更手段とその制御手段を有するアンテナと、高周波信号の発振器を有する受信機と、をケーブルで接続した受信システムを用いる通信制御方法において、
前記受信機では、その前記発振器により前記高周波信号を発生して前記ケーブルで前記アンテナへ送出し、
前記アンテナでは、前記検出手段により、前記ケーブル経由で受信する前記高周波信号の強度レベルに基いて前記ケーブルにおけるケーブルロスを検出し、
前記制御手段により、このケーブルロスに応じて前記変更手段を制御することにより前記アンテナ利得を制御する
ことを特徴とする通信制御方法。
【請求項５】
前記受信機において、所定の信号制御手段により、前記発振器で発生する前記高周波信号の内容を可変する信号制御処理
を含むことを特徴とする請求項４記載の通信制御方法。
【請求項６】
アンテナ利得を変更することにより受信範囲の広狭を変更するための第２の変更手段と、この第２の変更手段を用いる範囲制御手段と、を有する前記アンテナを用い、
前記範囲制御手段により、前記ケーブル経由で受信する前記高周波信号の内容に応じて、前記第２の変更手段を制御してアンテナ利得を変更することにより、前記受信範囲の広狭を制御する範囲制御処理
を含むことを特徴とする請求項４又は５記載の通信制御方法。
【発明の詳細な説明】
【技術分野】
【０００１】
本発明は、単行通信の受信システムにおいて、回線のケーブルロスを自動的に補正する技術に関する。
【背景技術】
【０００２】
近年、電子技術の普及や多様化に伴い、音声などを含めて、通信の無線化が進んでいる。駅の構内放送などにおいても、ワイヤレスマイクの普及により、自由な位置から安全確認等をしながらプラットホームへの案内放送が可能となり、業務の効率化や安全性の維持改善に貢献している。
【０００３】
このようなワイヤレスマイクなどの送信機と組み合わせて単行通信を実現する受信システムの典型例としては、アンテナ素子を含むアンテナユニット（本出願において単に「アンテナ」とも呼ぶ）と、受信回路などを含む受信機ユニット（本出願において単に「受信機」とも呼ぶ）を、信号伝達用の同軸ケーブルで接続する構成が知られる。
【０００４】
このような従来の受信システムでは、同軸ケーブルでのケーブルロスを補正するため、運用開始の際に、実際のケーブルロスに合わせて、アンテナの出力や受信機の入力に係るアッテネーターなどの回路を手動切替えなどで調節していた。
【特許文献１】特開２００３−２３４６２８
【発明の開示】
【発明が解決しようとする課題】
【０００５】
しかしながら、上記のように従来、手動でアッテネーターを設定する際は、事前にケーブルロスを測定または計算しなければならず、専門の業者が必要であるなど、導入のための費用や日数の負担が増大しやすい問題があった。
【０００６】
また、他の技術として、受信開始後に実際の受信信号強度に応じ増幅器などで利得を自動調整する例はあったが（例えば特許文献１ほか）、その種の例では無線伝送段階の損失とケーブルロスを一体に扱っていたため、事前に確定するケーブルロス値と切り離して受信信号強度の変動を捉えるなど、状況に応じた柔軟な運用や応用が困難という問題があった。
【０００７】
本発明は、上記のような従来技術の課題を解決するもので、その目的は、アッテネーターの事前設定にかかる負担を軽減する通信の技術を提供することである。本発明の他の目的は、ケーブルロスの測定や回路の設定について、状況に応じた柔軟な運用や応用を容易にすることである。本発明のさらに他の目的は、個々の受信システム側で有効受信エリアの広狭を調整することにより、同一周波数を複数の異なるエリアで同時並行的に利用可能とすることである。
【課題を解決するための手段】
【０００８】
上記の目的をふまえ、本発明の一態様は、アンテナと受信機とをケーブルで接続した受信システムにおいて、前記受信機は、前記ケーブルで前記アンテナへ送出する高周波信号を発生する発振器を備え、前記アンテナは、アンテナ利得を変更する変更手段と、前記ケーブル経由で受信する前記高周波信号の強度レベルに基いて前記ケーブルにおけるケーブルロスを検出する検出手段と、前記検出手段で検出した前記ケーブルロスに応じて前記変更手段を制御することにより前記アンテナ利得を制御する制御手段と、を有することを特徴とする。
【０００９】
このように、受信機に内蔵の発振器で発生した任意の高周波信号を同軸等のケーブル経由でアンテナのユニットへ送り、アンテナ側では届いた高周波信号のレベルを検出回路などで判定し、回線ロスに応じてアンテナの利得を自動的に可変して回線ロスを補正する。これにより、専門業者によるアンテナ利得の測定、計算、受信機入力の手動によるアッテネーター設定などが不要となり、システム導入における時間や費用などの負担が軽減できる。特に、運用場所を限定せずに仮設で運用するケースでとりわけ効果を発揮する。
【００１０】
本発明の他の態様は、さらに、前記受信機は、前記発振器で発生する前記高周波信号の内容を可変する信号制御手段を有することを特徴とする。
このように、高周波信号の出力を可変とすることにより、実際のケーブルロスとは関係なくアンテナ利得の調整が可能となり、多様な利用環境や用途、事情等への対応が容易になる。
【００１１】
本発明の他の態様は、さらに、前記アンテナは、アンテナ利得を変更することにより受信範囲の広狭を変更するための第２の変更手段と、前記ケーブル経由で受信する前記高周波信号の内容に応じて、前記第２の変更手段を制御してアンテナ利得を変更することにより、前記受信範囲の広狭を制御する範囲制御手段と、を有することを特徴とする。
このように、高周波信号の出力レベルなどを可変し、これに応じてアンテナ利得を任意に設定変更することにより、運用における受信範囲エリアのサイズの調整が可能となり、同一周波数を複数の異なるエリアで同時並行的に利用することも容易となる。
【００１２】
なお、以上の各態様は、方法及びプログラムについても同様である。
【発明の効果】
【００１３】
以上のように、本発明によれば、アッテネーターの事前設定にかかる負担を軽減できるので、無線通信の導入及びメンテナンスの負担が大幅に軽減可能となる。
【発明を実施するための最良の形態】
【００１４】
以下、本発明を実施するための最良の実施形態について、図を参照して説明する。なお、背景技術や課題での説明と共通の前提事項は適宜省略する。
【００１５】
〔１．構成〕
本実施形態は、図１（構成図）に示すように、アンテナ（アンテナユニット）１と、受信機（受信機ユニット）２と、を同軸ケーブルで接続した受信システムである。
【００１６】
このうち、アンテナ１は、アンテナ素子１１からの受信信号におけるアンテナ利得を変更する変更手段として、増幅器１２と、減衰器（アッテネータ。ＡＴＴとも表す）１３と、エリア調整用ＡＴＴ１４と、を有する。このうち特にエリア調整用ＡＴＴ１４は、アンテナ利得を変更することにより受信範囲の広狭を変更するための第２の変更手段である。
【００１７】
また、アンテナ１は、受信機２からの判定用信号をもとに動作する制御系統として、判定用信号の検出手段である検出回路１７と、増幅器１２と各ＡＴＴ１３，１４の制御手段である制御部１８と、を有する。
【００１８】
また、受信機２は、アンテナ１からの受信信号の処理系統として、受信回路２２と、ベースバンド処理部２３と、出力部２４と、を有する。また、受信機１は、アンテナ１へ判定用信号を出力するための高周波信号発振器２７と、この発振器２７を可変制御する信号制御手段である信号制御部２８を有する。
【００１９】
〔２．作用効果〕
上記のように構成された本実施形態において、受信機１では、初回設置時やユーザの命令操作時などに、発振器２７が発生する高周波信号を判定用信号として、コネクタ２０と同軸ケーブル３でアンテナ１へ送出する。アンテナ１では、このようにケーブル３経由で受信する判定用信号の強度レベルに基いて、検出回路１７が、ケーブル３におけるケーブルロスを判定する。そして、検出回路１７で検出した前記ケーブルロス（例えば−１０ｄＢ）に応じて、制御部１８が、前記変更手段（増幅器１２、ＡＴＴ１３）を制御することにより、アンテナ利得を（例えば＋１０ｄＢ）調整制御する（制御処理）。
【００２０】
このように、受信機に内蔵の発振器で発生した任意の高周波信号を同軸等のケーブル経由でアンテナのユニットへ送り、アンテナ側では届いた高周波信号のレベルを検出回路などで判定し、回線ロスに応じてアンテナの利得を自動的に可変して回線ロスを補正する。これにより、専門業者によるアンテナ利得の測定、計算、受信機入力の手動によるアッテネーター設定などが不要となり、システム導入における時間や費用などの負担が軽減できる。特に、運用場所を限定せずに仮設で運用するケースでとりわけ効果を発揮する。
【００２１】
また、受信機２の信号制御部２８は、ユーザ操作などを受けて、発振器２７で発生する高周波信号の内容（例えば、強度、周波数、ＦＳＫなど重畳するデータパターンなど）を可変する（信号制御処理）。
【００２２】
このように、高周波信号の出力を可変とすることは、必須ではないが、これにより、実際のケーブルロスとは関係なくアンテナ利得の調整が可能となり、多様な利用環境や用途、事情等への対応が容易になる。
【００２３】
また、制御部１８は、その第二の機能として、ユーザからの設定スイッチ操作などに応じ、ケーブル３経由で受信する前記高周波信号の内容に応じて、エリア調整用ＡＴＴ１４を制御してアンテナ利得を変更することにより、受信範囲の広狭を制御する（範囲制御処理）。
【００２４】
このように、高周波信号の出力レベルなどを可変し、これに応じてアンテナ利得を任意に設定変更することは、必須ではないが、これにより、運用における受信エリアのサイズの調整が可能となり、同一周波数を複数の異なるエリアで同時並行的に利用することも容易となる。
【００２５】
このような受信エリア広狭の調整は、ケーブルロスに関する自動調整と同時でもよく、例えば、送る高周波信号の強度レベルや周波数を上げれば受信機２側ではケーブルロスが小さい状態となるのでＡＴＴ補正値の縮小などによりアンテナ利得が減り受信エリアは縮小され、逆に、信号の周波数を低くすれば、受信機２側ではロスが大きいとの判断となり、ＡＴＴ補正値も大きくなるので受信エリアが拡大する。
【００２６】
また、このような受信エリア広狭の調整は、一つの受信機に、場所が異なる複数のアンテナユニットを、それぞれ異なるケーブル長で接続する場合にも実益が大きい。
【図面の簡単な説明】
【００２７】
【図１】本発明の第１実施形態の構成を示す図。
【符号の説明】
【００２８】
１…アンテナ
２…受信機
３…同軸ケーブル
１０，２０…コネクタ
１１…アンテナ素子
１２…増幅器
１３…アッテネータ（ＡＴＴ）
１４…エリア調整用ＡＴＴ
１７…検出回路
１８…制御部
２２…受信回路
２３…ベースバンド処理部
２４…出力部
２７…高周波信号発振器
２８…信号制御部
【図１】
2008061141.tif 000003